(57)【要約】  【課題】  視聴取者が特別な操作や設定をすることなく、自らの嗜好に合った番組情報を入手できるようにする。  【解決手段】視聴取履歴を表わす視聴取履歴情報を取得し、視聴取履歴情報を過去の番組情報と照合することにより、視聴取された番組を特定する。特定された番組に関連付けられたキーワードを取得して、共通して現れるキーワードを特定する。将来の番組情報を、このキーワードを用いて照合し、番組を抽出して、その番組を識別する情報を視聴取者へ向けて出力する。【選択図】図１
2008113058.tif 000002
【特許請求の範囲】
【請求項１】
放送の視聴取履歴情報を取得する視聴取履歴情報取得部と、
放送番組と関連付けてキーワードを含む番組特徴情報を保持する番組特徴情報保持部と、
前記視聴取履歴情報取得部にて取得した視聴取履歴情報に基づいて、視聴取した複数の番組に共通のキーワードを前記番組特徴情報保持部より取得する共通キーワード取得部と、
前記共通キーワード取得部にて取得した共通のキーワードと関連性が高いと判断される番組を識別する番組識別情報を電子番組表から取得する番組識別情報取得部と、
前記番組識別情報取得部が取得した番組識別情報にて識別される番組の関連情報である番組関連情報を取得して出力する番組関連情報出力部と、
を有する電子装置。
【請求項２】
前記番組関連情報出力部は、前記番組関連情報を出力するための手段として、電子メールとして送信を行なうためのメール送信手段、ウェブページとして表示を行なうために出力を行なうためのウェブ表示手段、専用アプリケーションプログラムを動作させて表示を行なうために出力を行なうアプリケーション出力手段、のいずれか一以上を有する請求項１に記載の電子装置。
【請求項３】
前記共通キーワード取得部は、共通のキーワードを取得するために利用する視聴取履歴情報を視聴取時間長に応じて特定する時間長依存特定手段を有する請求項１又は２に記載の電子装置。
【請求項４】
前記共通キーワード取得部は、共通のキーワードを取得するために利用する視聴取履歴情報を視聴取時期に応じて特定する視聴取時期依存特定手段を有する請求項１から３のいずれか一に記載の電子装置。
【請求項５】
前記共通キーワード取得部は、共通のキーワードを取得する際に、所定の期間内に電子番組表に頻出するキーワードを優先して取得する請求項１から４のいずれか一に記載の電子装置。
【請求項６】
前記メール送信手段は、番組関連情報を出力するために利用した視聴取履歴情報を提供した視聴取端末装置に対して前記メールを送信する視聴取端末メール送信器を有する請求項２に記載の電子装置。
【請求項７】
前記メール送信手段は、番組関連情報を出力するために利用した視聴取履歴情報を提供した視聴取端末装置以外に対して前記メールを送信する他メール送信器を有する請求項２に記載の電子装置。
【請求項８】
前記視聴取履歴情報取得部は、ネットワークを介して配置される視聴取端末装置から前記視聴取履歴情報を取得する請求項１から７のいずれか一に記載の電子装置。
【請求項９】
請求項８に記載の視聴取端末装置であって、
放送の視聴取を行なうための視聴取部と、
前記視聴取部での視聴取履歴を示す視聴取履歴情報を前記電子装置に送信する視聴取履歴情報送信部と、
前記視聴取履歴情報送信部から送信された視聴取履歴情報に基づいて、前記電子装置が出力する番組関連情報を取得する番組関連情報取得部と、
を有する視聴取端末装置。
【請求項１０】
前記視聴取履歴情報送信部は、
送信する視聴取履歴情報を、その視聴取時間長に応じて特定する視聴取依存送信特定手段を有する請求項９に記載の視聴取端末装置。
【請求項１１】
前記番組関連情報取得部で取得された番組関連情報に関連する番組識別情報を表示する表示部と、
前記表示部で表示される番組識別情報の表示に基づいて選択するための選択部と、
前記選択部で選択された番組識別情報に基づいて、その番組の放送時における自身の電源の投入、警告の発生、番組の記録のいずれか一を含む処理を予約する処理予約部と、
を有する請求項９又は１０に記載の視聴取端末装置。
【請求項１２】
前記視聴取履歴情報取得部で取得された視聴取履歴情報を蓄積する視聴取履歴情報蓄積部と、
前記視聴取履歴情報蓄積部に蓄積された視聴取履歴情報に対して統計処理を行なう統計処理部と、
前記統計処理部による統計処理の結果を出力する統計処理結果出力部と、
を有する請求項１に記載の電子装置。
【請求項１３】
放送の視聴取履歴情報を取得する視聴取履歴情報取得ステップと、
前記視聴取履歴情報取得ステップにて取得した視聴取履歴情報に基づいて、視聴取した複数の番組に共通のキーワードを取得する共通キーワード取得ステップと、
前記共通キーワード取得ステップにて取得した共通のキーワードと関連性が高いと判断される番組を識別する番組識別情報を電子番組表から取得する番組識別情報取得ステップと、
前記番組識別情報取得ステップが取得した番組識別情報にて識別される番組の関連情報である番組関連情報を出力する番組関連情報出力ステップと、
を含む電子装置の動作方法。
【請求項１４】
放送を視聴取する視聴取ステップと、
前記視聴取ステップでの視聴取履歴を示す視聴取履歴情報を取得する視聴取履歴情報取得ステップと、
前記視聴取履歴情報取得ステップで取得された視聴取履歴情報を送信する視聴取履歴情報送信ステップと、
前記視聴取履歴情報送信ステップで送信された視聴取履歴に基づいて、視聴取した複数の番組に共通のキーワードを取得して、その共通のキーワードと関連性が高いと判断される番組の関連情報である番組関連情報を取得する番組関連情報取得ステップと、
を含む視聴取端末装置の動作方法。
【発明の詳細な説明】
【技術分野】
【０００１】
本発明は、放送の視聴取履歴を利用し、視聴取者の嗜好に合わせた番組情報を提供するサービスを行なうための電子装置、そのサービスを利用するための視聴取端末装置、電子装置の動作方法及び視聴取端末装置の動作方法に関する。
【背景技術】
【０００２】
ケーブルテレビ、衛星デジタル放送などにより、多チャンネルの放送サービスが可能となってきている。その一方で、視聴取者は多チャンネルとして放送される多数の番組の中から自分の嗜好に合った番組を探す必要が生じてきている。このため視聴取者はさまざまな媒体を通じて自分の嗜好に合った番組を常に探さなくてはならない。このような問題を解決するために、放送の視聴取者の嗜好に沿った番組情報を提供するサービスに関する技術が提案されている（例えば、特許文献１参照。）。このような技術では、視聴取者が自分の嗜好を表わすキーワードを番組情報提供者に開示しておき、番組情報提供者は、開示されたキーワードに従って検索した結果を電子メールなどにより視聴取者へ返送し、視聴取者は、それを受信して端末装置の電子番組表などに検索結果を表示する。
【特許文献１】特開２００３−８７６７７号公報
【発明の開示】
【発明が解決しようとする課題】
【０００３】
しかしながら、上述のサービスに関する技術においては、視聴取者が自らキーワードを設定するが、これは視聴取者にとって手間のかかる行為である。また、キーワードの設定の誤り、例えばキーワードを構成する文字入力の誤り、が発生する可能性があるという問題もある。また、視聴取者の嗜好は一定しておらず、時間とともに変化していくので、変化が一定以上になるたびにキーワードを設定しなおさなければいけない。さらに、同じ意味のキーワードであっても、例えば、「テレビ」と「ＴＶ」のように表記が異なり、視聴取者が任意に入力したキーワードを使用して検索すると、検索の漏れが発生する可能性がある。
【０００４】
加えて、番組情報提供者が検索した結果は、番組表を見て初めて理解できるものであり、いずれの番組が実際に嗜好に合致したものかを知るためには、番組表と照合する必要があるため、番組の検索に時間がかかるという問題もある。
【０００５】
本発明は、以上のような状況を鑑みてなされたものであり、視聴取者が自らキーワードを設定することなく、放送の視聴取の履歴によって嗜好が解析され、漏れなく、そして嗜好の変化に対応しながら番組情報が提供されるようにするものである。
【課題を解決するための手段】
【０００６】
本発明は、こうした課題を解決するためのものである。すなわち、テレビ受像機、ラジオ受信機などの視聴取端末で放送を視聴取した履歴を表わす視聴取履歴情報を取得し、視聴取履歴情報を過去に放送された番組情報に対して照合して視聴取された番組を特定し、視聴取された番組に共通して現れるキーワードを取得し、そのキーワードと関連性が高いと判断される番組を識別する情報を取得し、番組関連情報を取得して出力する電子装置を提供する。
【０００７】
このような電子装置により、視聴取者の嗜好が表れる視聴取履歴情報に基づいてキーワードが検索され、そのキーワードに基づいて番組関連情報が生成されるので、視聴取者が自らキーワードを設定することなく、視聴取者の嗜好に合った番組情報が提供できる。また、キーワードは番組情報提供者が設定したものであるので、同じ意味のキーワードは同じ表記となり、検索の漏れが発生することを無くすことができる。
【０００８】
なお、番組関連情報を、電子メール（単に「メール」と省略する場合がある）、ウェブページの形式で視聴取者に提供するようになっていてもよい。また、専用のアプリケーションソフトウェアにより表示が可能な形式で提供するようになっていてもよい。
【０００９】
また、視聴取履歴情報を統計処理することにより、時間ごとの視聴取者の比率やジャンルごとの視聴取者の比率などを知ることができる。
【００１０】
また、視聴取端末装置においては、放送の視聴取が行なわれるとその視聴取の履歴を示す視聴取履歴情報を送信し、送信された視聴取履歴情報に応じて返信される番組関連情報が取得されるようになっている。また、番組関連情報が表示され、マウスや十字キーなどで選択を行ない、クリックやボタン押下などの操作を行なうことにより、操作が行なわれた位置に表示された番組関連情報の録画などの予約が行なわれるようになっていてもよい。
【発明の効果】
【００１１】
本発明により、視聴取者は特別な設定や操作を行なうことなく、嗜好に合った番組を視聴取することにより、キーワードが選定され、そのキーワードに適合した番組の情報を得ることができる。また、得られた番組の情報を利用して、簡単に録画の予約などの設定を行なうことができる。
【発明を実施するための最良の形態】
【００１２】
以下、本発明を実施するための最良の形態について、実施形態として説明する。なお、本発明は、これら実施形態に何ら限定されるものではなく、その要旨を逸脱しない限り、種々の態様で実施することができる。
【００１３】
（実施形態１）
本発明の実施形態１として、視聴取履歴情報を取得し、視聴取履歴情報を過去に放送された番組情報に対して照合することにより、視聴取された番組を特定し、視聴取された番組に共通して現れるキーワードを取得し、そのキーワードと関連性が高いと判断される番組を識別する情報を取得し、番組関連情報を取得して出力する電子装置について説明する。
【００１４】
（実施形態１：構成）
図１は、本発明の実施形態１に係る電子装置の機能ブロック図を例示する。電子装置１００は、視聴取履歴情報取得部１０１と、番組特徴情報保持部１０２と、共通キーワード取得部１０３と、番組識別情報取得部１０４と、番組関連情報出力部１０５と、を有する。なお、本明細書を通じて、機能ブロック図により例示される構成は、ハードウェア的には、任意のコンピュータのＣＰＵ、メモリ、その他のＬＳＩで実現でき、ソフトウェア的にはメモリにロードされたプログラムなどによって実現される。また、それらの連携によっても実現できる。したがって、ハードウェアのみ、ソフトウェアのみ、またはそれらの組み合せによっていろいろな形で実現できる。
【００１５】
「視聴取履歴情報取得部」１０１は、放送の視聴取履歴情報を取得する。すなわち、いつからいつまで、どの局の放送を視聴取していたかを示す情報である視聴取履歴情報を取得する。「視聴取」とは、ラジオの場合における音声を利用者が聞くことに限られず、利用者が聞くことができる状態になることを含んでいてもよい。同様に、テレビ放送などの映像を利用者が見ることに限られず、映像と共に音声をその利用者が聞いたりすることができる状態になることを含んでいてもよい（例えば、テレビ受像機の前を一時的に離れる場合を含んでいてもよい）。また、データ放送などでは、コンテンツを利用者が実際に知覚し、あるいは知覚することができる状態になることをいう。視聴取履歴情報の取得は、通信網を介して送信されたものを受信したり、あるいは、ケーブルや配線などを通じて出力されたものを取得したりすることを含む。また、媒体を通じて視聴取履歴情報が読み取られる場合も含むことになっていてもよい。
【００１６】
図２は、表の形式になっている視聴取履歴情報を例示する。開始時刻の列は、視聴取を始めた時刻を格納する。例えば、テレビ受像機などの視聴取端末の電源を投入した時刻や、チャンネルを切り換え、新しいチャンネルの視聴取を始めた時刻を格納する。終了時刻の列は、視聴取を終えた時刻を格納する。例えば、電源を切断する操作を行なった時刻や、チャンネルを切り換えて別のチャンネルの視聴取を始めた時刻を格納する。チャンネルの列は、視聴取を開始時刻から終了時刻までの視聴取のための選局を表わす。図２では、主にテレビ放送の場合が例示されている。ラジオ放送などの場合には、６、８などの数字に代えて、周波数が格納されるようになっていてもよい。
【００１７】
「番組特徴情報保持部」１０２は、番組特徴情報を保持する。電子装置１００が計算機によって実現される場合には、半導体メモリなどの一次記憶や、磁気ディスクなどの二次記憶により番組特徴情報が保持されることになる。ここに番組特徴情報とは、放送番組と関連付けてキーワードを含む情報である。キーワードは放送番組の内容などと関連のある単語などである。例えば、出演者名、放送で取り上げられる話題、放送の内容に関係する地名、放送で使用される音楽の名前などである。また、番組特徴情報は、視聴取履歴情報から視聴取された番組を特定するために使用されるために、放送の開始時刻、終了時刻、チャンネルなどの情報を含むものとする。あるいは、これらの放送の開始時刻、終了時刻、チャンネルなどの情報と対応づけられていてもよい。
【００１８】
図３は、番組特徴情報が表の形式で保持されている状態を例示する。番組識別情報の列には、番組を識別する情報である番組識別情報が格納され、開始時刻の列には、放送の開始時刻が格納され、終了時刻の列には、放送の終了時刻が格納され、チャンネルの列には、放送のチャンネル番号が格納されている。キーワードの列には、その番組に関連づけられるべきキーワードが格納されている。一般には、番組には複数のキーワードが関連付けられるので、図３では、スペースで複数のキーワードを区切って格納を行なっている。
【００１９】
「共通キーワード取得部」１０３は、視聴取履歴情報取得部１０１で取得した視聴取履歴情報に基づいて、視聴取した複数の番組に共通のキーワードを番組特徴情報保持部１０２より取得する。すなわち、視聴取履歴情報の示すチャンネルと同じチャンネルであり、視聴取履歴情報の示す開始時刻と終了時刻と共通部分がある番組の情報を番組特徴情報より得て、そのキーワードの列に格納されているキーワードの集合を取得する。このような処理を視聴取履歴ごとに行ない、キーワードの集合に共通して現れるキーワードを得ることを行なう。なお、「共通して」とは、必ずしも、キーワードの集合全てに現れるキーワードを得ることを意味するものではなく、所定の割合（以下、「所定出現率」という）以上のキーワードの集合に含まれるキーワードを得ることを意味することとしてもよい。例えば、視聴取履歴情報が１０個あり、これに対応してキーワードの集合が１０個得られた場合、７個のキーワードの集合に「スポーツ」というキーワードが現れるが、残りの３個のキーワードの集合には現れない場合であっても、所定出現率が６５％であれば、７０％の割合で「スポーツ」が現れるので、「スポーツ」が共通のキーワードであると判断する。
【００２０】
「番組識別情報取得部」１０４は、共通キーワード取得部１０３にて取得した共通のキーワードと関連性が高いと判断される番組を識別する番組識別情報を電子番組表から取得する。「共通のキーワードと関連性が高い」とは、番組にキーワードが関連づけられており、番組に関連付けられているキーワードと共通のキーワードとが一致する場合、共通部分が存在する場合、前者が後者の上位概念や下位概念の場合、前者の表わす概念と後者の表わす概念が同じ場合や類似する場合などがある。どの場合を用いるべきかは、実施時に適宜決めればよい。なお、電子番組表は、例えば、図３に例示されるような番組特徴情報と同じであってもよい。
【００２１】
図４は、電子番組表の別の例示である。図４の上部には、２００４年１０月２９日のチャンネルごとに放送される番組の番組識別情報が格納された表が示されている。図４の下部には、番組識別情報にキーワードが関連付けられている状態が例示されている。例えば、スポーツ中継１という番組識別情報４０１には、スポーツ、野球、α対β、などのキーワード４０２が関連付けられている。同様に旅情報１という番組識別情報４０３には、東北、温泉などのキーワード４０４が関連付けられている。例えば、共通キーワード取得部１０３で「スポーツ」が共通のキーワードとして取得された場合には、番組識別情報取得部１０４は、スポーツというキーワードが関連付けられているスポーツ中継１という番組識別情報４０１を取得することになる。
【００２２】
「番組関連情報出力部」１０５は、番組関連情報を取得して出力する。番組関連情報とは、番組識別情報取得部１０４が取得した番組識別情報にて識別される番組の関連情報である。例えば、番組識別情報で識別される番組が放送されるチャンネル、放送開始時刻、放送終了時刻などである。また、番組に関する情報、例えば、番組名、番組の出演者、番組のあらすじなども含まれていてもよい。なお、「出力」は、電子装置が通信網に接続されている場合には、その通信網を用いて送信することや、電子装置と別の装置と配線やケーブルなどにより接続されている場合には、その配線やケーブルなどを用いて信号を送出することなどを意味する。また、媒体などに書き出すことを意味するとしてもよい。
【００２３】
図５は、番組関連情報を例示する。この例では、図４のスポーツ中継１という番組識別情報４０１にて識別される番組の番組関連情報を示しており、その番組関連情報には、放送の開始時刻、放送の終了時刻、放送が行なわれるチャンネル、番組名が含まれている。
【００２４】
（実施形態１：処理の流れ）
図６は、本実施形態に係る電子装置の処理の流れを説明するフローチャートを例示する。ステップＳ６０１において、視聴取履歴情報取得部１０１により、視聴取履歴情報を取得する（視聴取履歴情報取得ステップ）。ステップＳ６０２において、共通キーワード取得部１０３は、視聴取履歴情報に基づいて、番組特徴情報保持部１０２より、共通のキーワードを取得する（共通キーワード取得ステップ）。ステップＳ６０３において、番組識別情報取得部１０４により、共通のキーワードと関連性が高いと判断される番組の番組識別情報を取得する（番組識別情報取得ステップ）。ステップＳ６０４において、番組関連情報出力部１０５により、番組識別情報で識別される番組の関連情報を取得して出力する（番組関連情報出力ステップ）。
【００２５】
（実施形態１：主な効果）
本実施形態により、視聴取者の嗜好が表れる視聴取履歴情報に基づいてキーワードが検索され、そのキーワードに基づいて番組関連情報が生成されるので、視聴取者が自らキーワードを設定することなく、視聴取者の嗜好に合った番組情報が提供できる。また、キーワードは番組情報提供者が設定したものであるので、同じ意味のキーワードは同じ表記となり、検索の漏れが発生することを無くすことができる。
【００２６】
（実施形態１：変形例１）
図７は、実施形態１の変形例を示す。図１では、電子装置は、一つの装置として実現されているが、本変形例のように、複数の装置から構成されるようになっていてもよい。例えば、視聴取端末装置７０１があり、それと視聴取履歴管理サーバ７０２とがネットワークなどを介して接続され、視聴取履歴管理サーバ７０２が解析装置７０３に接続され、解析装置７０３は、番組情報サーバ７０４とメール生成装置７０５に接続され、メール生成装置７０５は、メールサーバ７０６と接続され、メールサーバ７０６は、視聴取端末装置７０１とネットワークなどを介して接続されていてもよい。視聴取履歴管理サーバ７０２は、視聴取履歴情報取得部１０１に相当し、番組情報サーバ７０４は、番組特徴情報保持部１０２に相当し、解析装置７０３は、共通キーワード取得部１０３と番組識別情報取得部１０４とに相当し、メール生成装置７０５とメールサーバ７０６とは、番組関連情報出力部１０５に相当している（解析装置７０３は、番組関連情報出力部１０５の番組関連情報を取得する部分までに相当し、メール生成装置７０５とメールサーバ７０６とは、番組関連情報を出力する部分に相当するとしてもよい）。この場合、視聴取履歴情報取得部１０１に相当する視聴取履歴管理サーバ７０２は、ネットワークなどを介して配置される視聴取端末装置７０１から視聴取履歴情報を取得することになる。
【００２７】
図８は、図７に例示された視聴取端末装置７０１、視聴取履歴管理サーバ７０２、解析装置７０３、番組情報サーバ７０４、メール生成装置７０５、メールサーバ７０６からなるシステムの動作を説明するフローチャートを例示する。ステップＳ８０１において、視聴取端末装置７０１での視聴取の選局、視聴取の開始及び終了時刻等の視聴取履歴情報を一次的に記録する。ステップＳ８０２において、記録された視聴取履歴情報を電子装置へ出力する。この場合には、視聴取履歴管理サーバ７０２へ出力する。ステップＳ８０３において、電子装置で視聴取端末ごとに視聴取履歴情報を管理する。この場合の電子装置とは具体的には、視聴取履歴管理サーバ７０２であり、「視聴取端末ごとに」とは、視聴取端末の識別子と関連付けて視聴取履歴情報を管理することを意味する。ステップＳ８０４において、解析装置７０３で、視聴取履歴情報と、番組情報サーバ７０４で管理される過去の番組情報を照合する。ステップＳ８０５において、照合の結果から、視聴取した番組から共通のキーワードを抽出する。その後、ステップＳ８０６において、番組情報サーバ７０４が管理する将来の番組情報を照合して、共通のキーワードに適合する番組を抽出する。ステップＳ８０７において、番組関連情報を出力する。図７の場合には、電子メールにより送信が行なわれる。
【００２８】
図９は、図７のように電子メールにより番組関連情報を出力する場合の電子装置の機能ブロック図を例示する。図１と図９とを比較すると、番組関連情報出力部１０５がメール送信手段９０１を有している点が異なる。「メール送信手段」９０１は、番組関連情報を電子メールとして送信を行なうための手段である。図１０に、メール送信手段９０１により送信される電子メールの一例を示す。この例は、図５に例示された番組関連情報を送信する例である。なお、電子メールの送信先は、電子装置の内部で、視聴取端末の識別子と関連付けて保持されている。あるいは、視聴取履歴情報が取得される際に、番組関連情報の送信先の電子メールアドレスが取得されるようになっていてもよい。
【００２９】
なお、電子メールにより番組関連情報が出力される場合、図７と異なり、視聴取履歴情報を提供した視聴取端末以外の端末装置へ番組関連情報を含む電子メールが送信されるようになっていてもよい。図１１がこの場合の電子装置の機能ブロック図を例示する。図９と図１１とを比較すると、図１１では、メール送信手段９０１が他メール送信器１１０１を有していることが特徴となっている。「他メール送信器」１１０１は、番組関連情報を出力するために利用した視聴取端末であって、視聴取履歴情報を提供した視聴取端末以外に対してメールを送信する。したがって、この場合には、図１２に例示されるように、視聴取端末装置１２０１は電子装置１２０２へ視聴取履歴情報を出力し、これに対して、電子装置１２０２は、視聴取端末装置１２０１と異なる端末装置１２０３へ番組関連情報を出力する。このように異なる端末装置１２０３へ番組関連情報の出力を行なうことにより、視聴取履歴情報が出力される時刻と番組関連情報が出力される時刻との間の間隔が長いなどの理由により、視聴取端末装置を利用した視聴取者が視聴取端末装置１２０１の付近にいない場合に、視聴取者の有する携帯端末へ直接電子メールを送信することができる。また、視聴取端末が複数の視聴取者により共有されている場合に、複数の視聴取者を構成する特定の視聴取者の有する携帯端末などへ直接電子メールを送信することができる。この場合には、視聴取履歴情報取得部１０１は視聴取履歴情報とともに視聴取者の識別情報を取得することになる。
【００３０】
なお、電子メールにより番組関連情報が出力される場合、図７のように、視聴取履歴情報を提供した視聴取端末に対して番組関連情報を含む電子メールが送信されるようになっていてもよい。図１３がこの場合の電子装置の機能ブロック図を例示する。図９と図１３とを比較すると、図１３では、メール送信手段９０１が視聴取端末メール送信器１３０１を有していることが特徴となっている。「視聴取端末メール送信器」１３０１は、番組関連情報を出力するために利用した視聴取端末であって、視聴取履歴情報を提供した視聴取端末に対してメールを送信する。したがって、この場合には、図１４に例示されるように、視聴取端末装置１４０１は電子装置１４０２へ視聴取履歴情報を出力し、これに対して、電子装置１４０２は、視聴取端末装置１４０１へ番組関連情報を出力する。視聴取者が視聴取端末装置とは別の端末装置を有していないなどの場合に、視聴取者へ番組関連情報を伝えるのに便利である。また、番組関連情報に基づいて、電源投入の予約や録画／録音の予約を行なうのに便利である。
【００３１】
番組関連情報出力部１０５による番組関連情報の出力の方法は、電子メールに限られることはない。例えば、ウェブページの形式で出力がされてもよい。図１５は、この場合の電子装置の機能ブロック図を例示する。図９と図１５とを比較すると、メール送信手段９０１が、ウェブ表示手段１５０１に置き換わっていることがわかる。「ウェブ表示手段」１５０１は、番組関連情報をウェブページとして表示を行なうために出力を行なう。具体的には、図５に例示されるような番組関連情報をＨＴＭＬ（ＨｙｐｅｒＴｅｘｔ  Ｍａｒｋｕｐ  Ｌａｎｇｕａｇｅ）やＸＭＬ（ｅＸｔｅｎｓｉｂｌｅ  Ｍａｒｋｕｐ  Ｌａｎｇｕａｇｅ）などの構造化文書の形式により出力する。また、ウェブ表示手段は、視聴取者ごとに異なるウェブページを提供するので、視聴取者を認証するための手段を有していてもよい。また、電子装置は、新たな番組関連情報を掲示したウェブページを提供したことを視聴取者に伝えるために、ウェブページの提供に合わせて、そのウェブページのＵＲＬを、視聴取者に対して、電子メールで知らせてもよい。
【００３２】
ＨＴＭＬやＸＭＬの場合には、ブラウザというある程度高機能なアプリケーションプログラムを用いて情報の表示が行なわれるが、視聴取端末装置を含む端末装置によっては、そのような高機能なアプリケーションプログラムを有することができない場合がある。そこで、専用のアプリケーションプログラムを動作させて番組関連情報の表示が行なわれるようになっていてもよい。図１６は、この場合の電子装置の機能ブロック図を例示する。図９と図１６とを比較すると、メール送信手段９０１が、アプリケーション出力手段１６０１に置き換わっていることがわかる。「アプリケーション出力手段」は、専用アプリケーションを動作させて表示を行なうための手段である。専用アプリケーションは、番組関連情報を表示する端末装置で動作することになる。アプリケーション出力手段は、そのような専用アプリケーションが処理できるプロトコルなどの手順に従って番組関連情報を出力する。なお、専用アプリケーションは、例えば、Ｊａｖａ（登録商標）を用いて作成されるものであってもよい。
【００３３】
なお、番組関連情報出力部１０５は、メール送信手段９０１、ウェブ表示手段１５０１、アプリケーション出力手段１６０１のうち一つだけを有するのみならず、これらの任意の組み合わせを有していてもよい。これにより、様々なプロトコルに対応して番組関連情報を出力することができる。
【００３４】
（実施形態１：変形例２）
図１７は、本実施形態に係る電子装置の別の変形例の機能ブロック図を例示する。電子装置１７００は、視聴取履歴情報取得部１０１と、番組特徴情報保持部１０２と、共通キーワード取得部１０３と、番組識別情報取得部１０４と、番組関連情報出力部１０５と、を有し、本変形例では、共通キーワード取得部１０３が、時間長依存特定手段１７０１を有した構成となっている。
【００３５】
「時間長依存特定手段」１７０１は、共通のキーワードを取得するために利用する視聴取履歴情報を視聴取時間長に応じて特定する。「視聴取時間長に応じて」とは、視聴取時間長が共通のキーワードの取得に影響を与えることを意味する。一例としては、視聴取時間長が所定の長さより短い場合、例えば視聴取時間長が１分未満であれば、その視聴取情報を無視することを挙げることができる。このような場合には、図２に例示される視聴取履歴情報のうち、２番目のものは２３秒しか視聴取されていないことを示しており、また、３番目のものは１８秒しか視聴取されていないことを示しているので、２番目と３番目の視聴取履歴情報が無視されて共通のキーワードが取得される。このような処理により、視聴取者が試しに視聴取するなどのために、わずかの時間しか視聴取しなかったことを示す視聴取履歴情報を排除することができ、共通のキーワードが視聴取者の嗜好を正しく反映したものにできる。また、長い時間の視聴取を行なった番組に関連付けられているキーワードほど、重みを大きくして共通のキーワードを取得する（例えば、上記の「所定出現率」を小さくしたり、大きくしたりするように調整する）ようになっていてもよい。
【００３６】
（実施形態１：変形例３）
図１８は、本実施形態に係る電子装置の別の変形例の機能ブロック図を例示する。電子装置１８００は、視聴取履歴情報取得部１０１と、番組特徴情報保持部１０２と、共通キーワード取得部１０３と、番組識別情報取得部１０４と、番組関連情報出力部１０５と、を有し、本変形例では、共通キーワード取得部１０３が、視聴取時期依存特定手段１８０１を有した構成となっている。
【００３７】
「視聴取時期依存特定手段」１８０１は、共通のキーワードを取得するために利用する視聴取履歴情報を視聴取時期に応じて特定する。「視聴取時期に応じて」とは、視聴取履歴情報により示される視聴取が行なわれた時期がいつであるかが、共通のキーワードの取得に影響を与えることを意味する（例えば、上記の「所定出現率」を視聴取の時期に応じて大きくしたり小さくしたりするように調整する）。例えば、直近に視聴取した視聴取履歴情報により得られるキーワードを優先して、共通のキーワードを取得するようになっていてもよい。図１９の上部の表において、キーワードの列は、視聴取履歴情報により得られるキーワードを、視聴取が行なわれた時期が近いものほど上の行になるように格納している。この場合、上の行には１００、最も下の行には１の係数を掛けてキーワードの重み付けを行ない、キーワードを下部の表のように抽出することにより、直近の視聴取履歴によるキーワードを優先することができる（例えば、所定出現率を小さくする）。また、オリンピックなどのスポーツイベントのように、継続して放送されることはないが、一定期間に集中して放送される番組では、視聴取者の嗜好に合っていても、視聴取履歴に頻出しないので、このような放送に関するキーワードが抽出されない場合もあり得る。このような場合に対応するために、任意の時間内（例えば、オリンピック開催期間中）で視聴取履歴情報に頻出する番組に関するキーワードを優先するようにしてもよい。
【００３８】
（実施形態１：変形例４）
また、本実施形態に係る電子装置において、共通キーワード取得部１０３は、共通のキーワードを取得する際に、所定の期間内に電子番組表に頻出するキーワードを優先して取得するようになっていてもよい。例えば、オリンピックが近々開催されるような場合には、将来に放送される番組を格納する電子番組表には、「スポーツ」、「柔道」、「女子レスリング」、「水泳」などのキーワードが関連付けられた番組の情報が多数格納されることになる。そこで、このような場合に対応するために、ある一定の期間内に電子番組表に頻出するキーワードを優先して取得するようにしてもよい。具体的には、電子番組表に格納されている番組に関連付けられているキーワードの統計をとり、多く現れているキーワードほど優先させるようにする。例えば、上記の「所定出現率」を小さくするように調整する。
【００３９】
（実施形態２）
本発明の実施形態２として、実施形態１に係る電子装置へ視聴取履歴情報を送信し、送信された視聴取履歴情報に基づいて出力される番組関連情報を取得する視聴取端末に装置ついて説明する。
【００４０】
（実施形態２：構成）
図２０は、本発明の実施形態２に係る視聴取端末装置の機能ブロック図を例示する。視聴取端末装置２０００は、視聴取部２００１と、視聴取履歴情報送信部２００２と、番組関連情報取得部２００３と、を有している。本実施形態においては、視聴取端末装置２０００は、実施形態１に係る電子装置２００４から見ると、ネットワークを介して配置されている。
【００４１】
「視聴取部」２００１は、放送の視聴取を行なうための部である。この部は、例えば、放送波を受信するためのチューナや、ラジオであればスピーカ、テレビであればブラウン管ディスプレイ、液晶ディスプレイ、プラズマディスプレイなどが該当する。
【００４２】
「視聴取履歴情報送信部」２００２は、視聴取部２００１での視聴取履歴を示す視聴取履歴情報を電子装置２００４に送信する。例えば、図２に例示されるような視聴取履歴情報を送信する。なお、視聴取履歴情報送信部２００２は、視聴取履歴が発生するたびに視聴取履歴情報を送信してもよいし、視聴取履歴情報を一時的に記録して、複数の視聴取履歴情報をまとめて送信したりしてもよい。
【００４３】
「番組関連情報取得部」２００３は、視聴取履歴情報送信部２００２から送信された視聴取履歴情報に基づいて、電子装置２００４が出力する番組関連情報を取得する。例えば、図５に例示されるような番組関連情報を取得する。この取得は、電子メールによってされてもよいし、ウェブページとして表示されることにより行なわれてもよい。また、視聴取端末装置の中で動作する専用アプリケーションが番組関連情報の取得を行なうようになっていてもよい。なお、番組関連情報の取得は、視聴取履歴情報の送信と１対１に行なわれる必要はなく、例えば、視聴取履歴情報の送信が数回行なわれると、１回の番組関連情報の取得が行なわれるようになっていてもよい。また、所定の長さの時間内での視聴取の視聴取履歴情報がまとめて送信され、これに対応して、番組関連情報の取得が一回または複数回行なわれるようになっていてもよい。
【００４４】
（実施形態２：処理の流れ）
図２１と図２２とは、本実施形態に係る視聴取端末装置の処理の流れを説明するフローチャートを例示する。図２１は、視聴取情報の送信に関する処理を例示する。ステップＳ２１０１において、視聴取部２００１により、放送を視聴取する（視聴取ステップ）。ステップＳ２１０２において、視聴取部２００１による視聴取の履歴を表わす視聴取履歴情報を取得し、蓄積することを行なう（視聴取履歴情報取得ステップ）。視聴取履歴の蓄積により、視聴取履歴情報の記録が行なわれる。ステップＳ２１０３において、記録された視聴取履歴情報を送信するかどうか判断する。もし、送信すると判断された場合は、ステップＳ２１０４へ処理を移行させ、そうでなければ、ステップＳ２１０１へ戻る。ステップＳ２１０４においては、視聴取履歴情報送信部２００２により、視聴取履歴情報を送信する（視聴取履歴情報送信ステップ）。その後、処理をステップＳ２１０１へ戻す。図２２は、番組関連情報を取得する処理の流れを説明する。ステップＳ２２０１において、番組関連情報取得部２００３により、番組関連情報を取得する（番組関連情報取得ステップ）。ステップＳ２２０２において、番組関連情報の処理を行なう。どのような処理を行なうかについては、例えば、番組関連情報に基づいて、番組を録画、録音する予約のための処理を行なう（例えば、ＤＶＤレコーダが視聴取端末装置に備わっている場合には、ＤＶＤレコーダに対して予約の処理を行なう）、番組関連情報を表示する、などがある。
【００４５】
（実施形態２：主な効果）
本実施形態により、視聴取者は特別な設定や操作を行なうことなく、嗜好に合った番組を視聴取することにより、キーワードが選定され、そのキーワードに適合した番組の情報を得ることができる。また、得られた番組の情報を利用して、簡単に録画の予約などの設定を行なうことができる。
【００４６】
（実施形態２：別の構成の機能ブロック図）
図２３は、本発明の実施形態２に係る視聴取端末装置の別の構成の機能ブロック図を例示する。視聴取端末装置２３００は、アンテナ２３０１、チューナ２３０２、スピーカ２３０３、表示部２３０４、操作部２３０５、起動部２３０６、一時記録部２３０７、時計２３０８、記録部２３０９、通信部２３１０を有するテレビ放送受信装置である。また、図２４は、この視聴取端末装置の動作を説明するフローチャートである。以下、図２３と図２４とを参照しながら、説明を行なう。なお、図２３において、実線の矢印は映像／音声信号の流れを示し、点線の矢印は操作信号の流れを示し、二重の矢印は、視聴取履歴情報に関連するデータの流れを示している。
【００４７】
まず、視聴取端末装置を利用する視聴取者は、操作部２３０５を通じて起動部２３０６もしくはチューナ２３０２を操作し、視聴取端末装置の起動もしくは選局を行ない、アンテナ２３０１で受信したテレビ映像を表示部２３０４に表示し、音声をスピーカ２３０３より出力する（ステップＳ２４０１）。次に、表示部２３０４への表示／スピーカ２３０３からの音声出力と同時に、選局されたチャンネル番号と時計２３０８より得られる時刻とを視聴取開始を示す情報として、一時記録部２３０７に記録する（ステップＳ２４０２）。その後、操作部２３０５を通じて起動部２３０６を操作し、電源を切った場合には、視聴取が終了したとして、その時刻と、一時記録部２３０７に一時的に記録された視聴取開始を示す情報と、を合わせて、視聴取履歴情報として記録部２３０９に記録する。また、操作部２３０５を通じてチューナ２３０２を操作し、選局を行なった場合にも、視聴取が終了したとして、その時刻と、一時記録部２３０７に一時的に記録された視聴取開始を示す情報と、を合わせて、視聴取履歴情報として記録部２３０９に記録する。また、同時に、新たな視聴取が開始されたとみなして、選局されたチャンネル番号と時刻とを視聴取開始を示す情報として一時記録部２３０７に一時的に記録する（ステップＳ２４０３）。記録部２３０９に記録された視聴取履歴情報は、通信部２３１０を通じて、視聴取履歴情報が一つ記録されるたびに、あるいは複数をまとめて電子装置２００４へ送信する（ステップＳ２４０４）。
【００４８】
（実施形態２：変形例１）
図２５は、本実施形態に係る視聴取端末装置の変形例の機能ブロック図を例示する。視聴取端末装置２５００は、視聴取部２００１と、視聴取履歴情報送信部２００２と、番組関連情報取得部２００３と、を有し、視聴取履歴情報送信部２００２は、視聴取依存送信特定手段２５０１を有している。「視聴取依存送信特定手段」２５０１は、送信する視聴取履歴情報を、その視聴取時間長に応じて特定する。「視聴取時間長に応じて特定する」とは、視聴取時間長により、視聴取履歴情報が送信されたりされなかったりすることを意味する。例えば、所定の時間未満の視聴取時間であれば、その視聴取履歴情報を送信しない。また、極めて長時間、例えば、１８時間以上、にわたって視聴取が連続している場合には、視聴取端末装置の電源を切り忘れて放置されたとみなして、視聴取履歴情報を送信しない。このようにすることにより、視聴取者が試しに視聴取するなどのために、わずかの時間しか視聴取しなかったことを示す視聴取履歴情報を排除することができ、共通のキーワードが視聴取者の嗜好を正しく反映したものにできる。
【００４９】
（実施形態２：変形例２）
図２６は、本実施形態に係る視聴取端末装置の別の変形例の機能ブロック図を例示する。視聴取端末装置２６００は、視聴取部２００１と、視聴取履歴情報送信部２００２と、番組関連情報取得部２００３と、を有し、さらに、表示部２６０１と、選択部２６０２と、処理予約部２６０３と、を有している。また、視聴取履歴情報送信部２００２が視聴取依存送信特定手段２５０１を有していてもよい。
【００５０】
「表示部」２６０１は、番組関連情報取得部２００３で取得された番組関連情報に関連する番組識別情報を表示する。例えば、ディスプレイに図１０に例示されるように番組関連情報を含む電子メールの内容の表示を行なう。「番組関連情報に関連する番組識別情報」とは、例えば、番組関連情報に含まれる番組識別情報である。別の例としては、番組関連情報に基づいて外部のサーバ装置に問い合わせを行ない、その問い合わせに応じて得られる検索結果に含まれる番組識別情報がある。
【００５１】
「選択部」２６０２は、表示部２６０１で表示される番組識別情報の表示に基づいて選択するための部である。例えば、マウスや十字キーなどによりカーソルの移動を検出し、所定のボタン操作が行なわれた位置に表示された番組識別情報を選択したものとして取り扱う。
【００５２】
「処理予約部」２６０３は、選択部で選択された番組識別情報に基づいて、処理を予約する。ここでいう処理には、その番組の放送時における自身の電源の投入、警告の発生、番組の記録のいずれか一、またはそれらの組み合わせが含まれる。例えば、図１０に例示されるように、「スポーツ中継１」という番組識別情報が表示部２６０１に表示されるとする。この場合、「スポーツ中継１」という文字列が表示される部分の記述に、図２７に例示されるようにハイパーリンクが設定されているとする。このようなハイパーリンクの設定により、クリックなどが「スポーツ中継１」という文字列の表示に対して行なわれると、「ｒｅｃｏｒｄ？ｂｅｇｉｎ＝２００４／１０／２９−２０：００&ｅｎｄ＝２００４／１０／２９−２２：００&ｃｈ＝８」で指定される処理が行なわれる。この処理により、２００４年１０月２９日の２０時０分から２２時０分まで、８チャンネルの録画などの予約が行なわれる。また、「ｐｏｗｅｒｏｎ？ａｔ＝２００４／１０／２９−２０：００」と記述がされていれば、２００４年１０月２９日の２０時０分に電源の投入が予約される処理の記述となる。同様にｐｏｗｅｒｏｎをｂｅｅｐに変えることにより、警告の発生が予約される処理の記述となる。
【００５３】
（実施形態３）
本発明の実施形態３として、視聴取履歴情報の統計処理など行なう電子装置について説明する。
【００５４】
（実施形態３：構成）
図２８は、本発明の実施形態３に係る電子装置の機能ブロック図を例示する。電子装置２８００は、実施形態１のように視聴取履歴情報取得部１０１と、番組特徴情報保持部１０２と、共通キーワード取得部１０３と、番組識別情報取得部１０４と、番組関連情報出力部１０５と、を有し、さらに、視聴取履歴情報蓄積部２８０１と、統計処理部２８０２と、統計処理結果出力部２８０３と、を有する。
【００５５】
「視聴取履歴情報蓄積部」２８０１は、視聴取履歴情報取得部１０１で取得された視聴取履歴情報を蓄積する。なお、視聴取履歴情報の蓄積は、視聴取履歴情報を出力した視聴取端末装置の識別番号などと関連づけて行なってもよい。
【００５６】
「統計処理部」２８０２は、視聴取履歴情報蓄積部２８０１に蓄積された視聴取履歴情報に対して統計処理を行なう。行なう統計処理としては、例えば、特定の時間帯に特定の番組の視聴取が行なわれていた視聴取端末装置の台数を計数したり、視聴取端末装置の識別番号とその視聴取端末装置の所持者の属性、例えば、性別、年齢、家族構成など、を関連付けて保持しておき、ある時間に並行して放送される番組のそれぞれについて、男性がどれだけ視聴取を行なっていたか、１０代の女性の視聴取傾向を求めたりする。
【００５７】
「統計処理結果出力部」２８０３は、統計処理部２８０２による統計処理の結果を出力する。例えば、電子メールの形式で、各番組のプロデューサに送信したり、視聴取端末を所持する視聴取者へ送信したりなどする。
【００５８】
図２９は、本実施形態に係る電子装置を用いた処理の流れを説明するフローチャートを例示する。まず、ステップＳ２９０１において、視聴取端末において、視聴取端末での視聴取履歴情報を一時的に記録する。例えば、図２３の一時記録部２３０７に記録する。ステップＳ２９０２において、一時記録部２３０７などに記録されることを通じて記録部２３０９に記録された視聴取履歴情報を電子装置２８００へ送信する。ステップＳ２９０３において、電子装置２８００で、視聴取端末装置ごとに視聴取履歴情報を管理する。この処理は例えば、視聴取履歴情報蓄積部２８０１を用いて行なわれる。ステップＳ２９０４において、ステップＳ２９０３により管理されている視聴取履歴情報と過去の番組情報を照合し、視聴取された番組を特定する。例えば、統計処理部２８０２が、番組特徴情報保持部１０２に保持された番組特徴情報を参照して、特定行なう。ステップＳ２９０５において、ステップＳ２９０４で特定された番組を視聴取情報として視聴取端末装置ごとに記録する。例えば、視聴取端末装置の識別情報と関連づけて視聴取情報を保持する。ステップＳ２９０６において、視聴取情報を読出し、時間帯やジャンルごと、属性ごとに視聴取情報を統計的に処理する。例えば、視聴取端末装置ごとに記録されている視聴取情報を全ての視聴取端末装置分あるいは一部の視聴取端末装置分について集計し、時間ごとの視聴取者の比率や番組のジャンルごとの視聴取者の比率などを統計的に集計する。ここに、一部の視聴取端末装置分について集計するとは、例えば、あらかじめ視聴取者の性別や年齢、職業などの属性情報を視聴取端末装置ごとに記録しておくことにより、男性のみの視聴取情報を集計したり、女性の大学生のみの視聴取情報を集計したりすることなどを意味する。
【００５９】
統計処理されて得られた結果は、ステップＳ２９０７において、統計処理結果出力部２８０３に渡されて、出力される。例えば、電子メールとして出力される。もちろん、統計処理されて得られた結果は、電子メールとして出力されるのではなく、個別のデータとして利用されるようになっていてもよい。
【産業上の利用可能性】
【００６０】
本発明によれば、視聴取者は特別な設定や操作をすることなく、放送の視聴取を行なうことのみで嗜好に応じた番組情報を入手することが可能となり、また、入手した番組情報を利用して、簡単に録画予約などを行なうことができ、さらに、視聴取率などの統計処理の結果を得ることができるなど、本発明は産業上有用である。
【図面の簡単な説明】
【００６１】
【図１】本発明の実施形態１に係る電子装置の機能ブロック図
【図２】視聴取履歴情報の一例図
【図３】番組特徴情報の一例図
【図４】電子番組表の一例図
【図５】番組関連情報の一例図
【図６】電子装置の処理の流れを説明するフローチャート
【図７】実施形態１の変形の一例図
【図８】視聴取端末装置と電子装置とからなるシステムの動作のフローチャート
【図９】本発明の実施形態１に係る電子装置の機能ブロック図
【図１０】電子メールの一例図
【図１１】本発明の実施形態１に係る電子装置の機能ブロック図
【図１２】視聴取端末装置と電子装置とからなるシステムの構成図
【図１３】本発明の実施形態１に係る電子装置の機能ブロック図
【図１４】視聴取端末装置と電子装置とからなるシステムの構成図
【図１５】本発明の実施形態１に係る電子装置の機能ブロック図
【図１６】本発明の実施形態１に係る電子装置の機能ブロック図
【図１７】本発明の実施形態１に係る電子装置の機能ブロック図
【図１８】本発明の実施形態１に係る電子装置の機能ブロック図
【図１９】抽出されたキーワードを視聴取時期に応じて並べた表の一例図
【図２０】本発明の実施形態２に係る視聴取端末装置の機能ブロック図
【図２１】視聴取端末装置の処理の流れを説明するフローチャート
【図２２】視聴取端末装置の処理の流れを説明するフローチャート
【図２３】本発明の実施形態２に係る視聴取端末装置の機能ブロック図
【図２４】視聴取端末装置の動作を説明するフローチャート
【図２５】本発明の実施形態２に係る視聴取端末装置の機能ブロック図
【図２６】本発明の実施形態２に係る視聴取端末装置の機能ブロック図
【図２７】番組識別情報の表示の記述の一例図
【図２８】本発明の実施形態３に係る電子装置の機能ブロック図
【図２９】電子装置を用いた処理の流れを説明するフローチャート
【符号の説明】
【００６２】
１００  電子装置
１０１  視聴取履歴情報取得部
１０２  番組特徴情報保持部
１０３  共通キーワード取得部
１０４  番組識別情報取得部
１０５  番組関連情報出力部
【図１】
2008113058.tif 000003
【図２】
2008113058.tif 000004
【図３】
2008113058.tif 000005
【図４】
2008113058.tif 000006
【図５】
2008113058.tif 000007
【図６】
2008113058.tif 000008
【図７】
2008113058.tif 000009
【図８】
2008113058.tif 000010
【図９】
2008113058.tif 000011
【図１０】
2008113058.tif 000012
【図１１】
2008113058.tif 000013
【図１２】
2008113058.tif 000014
【図１３】
2008113058.tif 000015
【図１４】
2008113058.tif 000016
【図１５】
2008113058.tif 000017
【図１６】
2008113058.tif 000018
【図１７】
2008113058.tif 000019
【図１８】
2008113058.tif 000020
【図１９】
2008113058.tif 000021
【図２０】
2008113058.tif 000022
【図２１】
2008113058.tif 000023
【図２２】
2008113058.tif 000024
【図２３】
2008113058.tif 000025
【図２４】
2008113058.tif 000026
【図２５】
2008113058.tif 000027
【図２６】
2008113058.tif 000028
【図２７】
2008113058.tif 000029
【図２８】
2008113058.tif 000030
【図２９】
2008113058.tif 000031